(57)【要約】【課題】ＩＨ調理器において、静電容量式タッチキーを設けた場合、誤操作に対する対策が必要であった。【解決手段】静電容量式のタッチキーを有するキー入力部２５は、調理情報のみを入力でき、調理の開始信号（加熱開始信号）は入力できない構成とした。開始信号を入力するために、キー入力部２５の付近につまみ入力部（操作ダイヤル）２３を設けた。操作ダイヤル２３は、回転操作により開始信号を入力するので、誤操作を生じにくい。キー入力部２３とつまみ入力部（操作ダイヤル）２３との間に表示部２６を配置したので、操作ダイヤル２３を操作する際、誤ってキー入力部２５に手指が触れるのを防止できる。【選択図】図２
2009163899.tif 000002
【特許請求の範囲】
【請求項１】
被加熱物を収容した調理容器が載置される天板と、
前記天板の下側に配置され、載置された調理容器を加熱するための加熱装置と、
前記天板の前縁に設けられ、静電容量式のタッチキーを有し、上方からタッチキーを触れて調理情報を入力するためのキー入力部と、
前記天板の前縁の前記キー入力部の付近であって、前方から見て、前記天板の調理容器載置位置の中心から横にずれた位置に設けられ、前記キー入力部と同一平面から上方へ突出するつまみを有し、つまみを回転操作して調理開始信号を入力するためのつまみ入力部と、
前記キー入力部およびつまみ入力部の間に設けられた調理情報を表示するための表示部と、
を含むことを特徴とする、加熱調理器。
【請求項２】
被加熱物を収容した調理容器が載置される天板と、
前記天板の下側に配置され、載置された調理容器を加熱するための加熱装置と、
前記天板の前縁に設けられ、静電容量式のタッチキーを有し、上方からタッチキーを触れて調理情報を入力するためのキー入力部と、
前記天板の前縁の前記キー入力部の付近に設けられ、前記キー入力部と同一平面から上方へ突出するつまみを有し、つまみを回転操作して調理開始信号を入力するためのつまみ入力部と、
を含むことを特徴とする、加熱調理器。
【請求項３】
被加熱物を収容した調理容器が載置される天板と、
前記天板の下側に配置され、載置された調理容器を加熱するための加熱装置と、
前記天板の前縁に設けられ、静電容量式のタッチキーを有し、上方からタッチキーを触れるキー入力部と、
前記天板の前縁の前記キー入力部の付近に設けられ、前記キー入力部と同一平面から上方へ突出するつまみを有し、つまみを回転操作するつまみ入力部と、
前記キー入力部およびつまみ入力部の間に設けられた調理情報を表示するための表示部と、
を含むことを特徴とする、加熱調理器。
【請求項４】
被加熱物を収容した調理容器が載置される天板と、
前記天板の下側に配置され、載置された調理容器を加熱するための加熱装置と、
前記天板の前縁であって、前方から見て、前記天板の調理容器載置位置の中心から横にずれた位置に設けられ、上方へ突出するつまみを有し、つまみを回転操作して調理開始信号を入力するためのつまみ入力部と、
を含むことを特徴とする、加熱調理器。
【請求項５】
前記キー入力部は、メニューを含む調理情報を入力するものであって、調理開始を指示する開始信号を与えるものではなく、
前記つまみ入力部は、調理開始を指示する開始信号を与えるものであり、
前記キー入力部からの調理情報入力後、一定時間内に前記つまみ入力部から開始信号が与えられないときに、前記キー入力部から入力された調理情報をキャンセルする入力無効化手段を有することを特徴とする、請求項１〜３のいずれかに記載の加熱調理器。
【請求項６】
前記キー入力部は、メニューを含む調理情報を入力するものであって、調理開始を指示する開始信号を与えるものではなく、
前記つまみ入力部は、調理開始を指示する開始信号を与えるものであり、
前記つまみ入力部は、予め定める単位回転量に応じて加熱量を入力することができ、前記予め定める単位回転量よりも大きな回転量の回転操作がされたときに前記開始信号を与えることを特徴とする、請求項１〜３のいずれかに記載の加熱調理器。
【請求項７】
少なくとも前記つまみ入力部の操作中またはつまみ入力部の操作後一定時間の間、前記キー入力部からの入力を受け付けない受付拒否手段を有することを特徴とする、請求項１〜３のいずれかに記載の加熱調理器。
【発明の詳細な説明】
【技術分野】
【０００１】
この発明は、加熱調理器に関し、特に、誘導加熱調理器（ＩＨ調理器）に関する。さらに特定すると、この発明は、キッチンにビルトインされるビルトイン型ＩＨ調理器に関する。
【背景技術】
【０００２】
従来より、キッチンにビルトインされるビルトイン型ＩＨ調理器が知られている。たとえば、特許文献１に記載のビルトイン型ＩＨ調理器は、トッププレート（天板に相当する）が露出されるようにキッチンキャビネットに組み込まれる。
特許文献１に記載のビルトイン型ＩＨ調理器には、前面右側に操作部９が設けられ、操作部９には複数の操作スイッチ２６と複数の表示器２７とが備えられている（特許文献１の段落［００２１］、図２参照）。
【０００３】
また、表示器２７は、トッププレート６の前縁に配置される構成も示されている（特許文献１の図２、図３参照）。
【特許文献１】特開２００２−３９５４６号公報
【発明の開示】
【発明が解決しようとする課題】
【０００４】
特許文献１に記載のビルトイン型ＩＨ調理器では、前面に操作部９が設けられており、そこに複数の操作スイッチ２６が配置されているため、操作スイッチ２６が何のスイッチであるかを確認するためには、ユーザは屈んで操作スイッチ２６を見なければならず、操作スイッチ２６の操作がしにくいという課題がある。
そこで、ＩＨ調理器においては、たとえば天板の前縁に、静電容量式のタッチキーを設け、上方からタッチキーに触れて操作するようにしたものも提案されている。
【０００５】
ところで、静電容量式のタッチキーは、メンブレン式の押圧キー（シートスイッチ）と比べて耐久性はあるが、信頼性が劣るという課題がある。なぜなら、静電容量式のタッチキーが天板のたとえば前縁に上方から操作可能に設けられている場合、天板上に物が置かれた場合などに、静電容量式タッチキーが誤動作する可能性があるからである。
このため、加熱調理器において、静電容量式のタッチキーを上方から操作できる位置に配置した場合、タッチキーが誤って操作され、加熱等が開始されることを避ける必要がある。
【０００６】
この発明は、このような背景のもとになされたもので、操作スイッチの内容が確認し易く、かつ、誤動作のない操作部を有する加熱調理器を提供することを主たる目的とする。  この発明は、天板の前縁に上方から確認可能に操作部および表示部が配列されていて、操作のし易い加熱調理器を提供することを他の目的とする。
この発明は、さらに、静電容量式のタッチキーの誤操作があっても加熱調理が開始されないように工夫された加熱調理器を提供することを他の目的とする。
【課題を解決するための手段】
【０００７】
請求項１記載の発明は、被加熱物を収容した調理容器が載置される天板と、前記天板の下側に配置され、載置された調理容器を加熱するための加熱装置と、前記天板の前縁に設けられ、静電容量式のタッチキーを有し、上方からタッチキーを触れて調理情報を入力するためのキー入力部と、前記天板の前縁の前記キー入力部の付近であって、前方から見て、前記天板の調理容器載置位置の中心から横にずれた位置に設けられ、前記キー入力部と同一平面から上方へ突出するつまみを有し、つまみを回転操作して調理開始信号を入力するためのつまみ入力部と、前記キー入力部およびつまみ入力部の間に設けられた調理情報を表示するための表示部と、を含むことを特徴とする、加熱調理器である。
【０００８】
請求項２記載の発明は、被加熱物を収容した調理容器が載置される天板と、前記天板の下側に配置され、載置された調理容器を加熱するための加熱装置と、前記天板の前縁に設けられ、静電容量式のタッチキーを有し、上方からタッチキーを触れて調理情報を入力するためのキー入力部と、前記天板の前縁の前記キー入力部の付近に設けられ、前記キー入力部と同一平面から上方へ突出するつまみを有し、つまみを回転操作して調理開始信号を入力するためのつまみ入力部と、を含むことを特徴とする、加熱調理器である。
【０００９】
請求項３記載の発明は、被加熱物を収容した調理容器が載置される天板と、前記天板の下側に配置され、載置された調理容器を加熱するための加熱装置と、前記天板の前縁に設けられ、静電容量式のタッチキーを有し、上方からタッチキーを触れるキー入力部と、前記天板の前縁の前記キー入力部の付近に設けられ、前記キー入力部と同一平面から上方へ突出するつまみを有し、つまみを回転操作するつまみ入力部と、前記キー入力部およびつまみ入力部の間に設けられた調理情報および加熱情報を表示するための表示部と、を含むことを特徴とする、加熱調理器である。
【００１０】
請求項４記載の発明は、被加熱物を収容した調理容器が載置される天板と、前記天板の下側に配置され、載置された調理容器を加熱するための加熱装置と、前記天板の前縁であって、前方から見て、前記天板の調理容器載置位置の中心から横にずれた位置に設けられ、上方へ突出するつまみを有し、つまみを回転操作して調理開始信号を入力するためのつまみ入力部と、を含むことを特徴とする、加熱調理器である。
【００１１】
請求項５記載の発明は、前記キー入力部は、メニューを含む調理情報を入力するものであって、調理開始を指示する開始信号を与えるものではなく、前記つまみ入力部は、調理開始を指示する開始信号を与えるものであり、前記キー入力部からの調理情報入力後、一定時間内に前記つまみ入力部から開始信号が与えられないときに、前記キー入力部から入力された調理情報をキャンセルする入力無効化手段を有することを特徴とする、請求項１〜３のいずれかに記載の加熱調理器である。
【００１２】
請求項６記載の発明は、前記キー入力部は、メニューを含む調理情報を入力するものであって、調理開始を指示する開始信号を与えるものではなく、前記つまみ入力部は、調理開始を指示する開始信号を与えるものであり、前記つまみ入力部は、予め定める単位回転量に応じて加熱量を入力することができ、前記予め定める単位回転量よりも大きな回転量の回転操作がされたときに前記開始信号を与えることを特徴とする、請求項１〜３のいずれかに記載の加熱調理器である。
【００１３】
請求項７記載の発明は、少なくとも前記つまみ入力部の操作中またはつまみ入力部の操作後一定時間の間、前記キー入力部からの入力を受け付けない受付拒否手段を有することを特徴とする、請求項１〜３のいずれかに記載の加熱調理器である。
【発明の効果】
【００１４】
請求項１記載の発明によれば、ユーザが操作して信号を入力するための入力部には、キー入力部およびつまみ入力部が含まれていて、それら２種類の入力部は天板の前縁の同一平面に上から見ながら操作できるように設けられている。従って、視認性および操作性の良い入力部とすることができる。
キー入力部は、静電容量式のタッチキーを有するので、タッチキーに触れる（タッチする）だけで入力操作ができ、便利であるとともに、見た目の高級感もあって、審美性の点からも好ましい構成である。しかも、キー入力部は、調理情報を入力するために設けられているから、たとえキー入力部が誤って操作されても、調理情報が入力されるだけであって、調理が開始しないので、安全性の高い構成である。
【００１５】
つまみ入力部は、キー入力部の付近に設けられており、かつ、キー入力部と同一平面から上方へ突出するつまみを有するので、キー入力部の操作と関連して操作し易い。しかも、つまみは、前方から見て、天板の調理容器載置位置の中心から横にずれた位置に設けられているから、天板に調理容器としてたとえばフライパンを載置した場合に、フライパンの柄が前方へ延び出していても、フライパンの柄が突出するつまみに干渉することはなく、つまみの操作が妨げられない。
【００１６】
また、つまみは、回転されることにより調理の開始信号を入力するため、誤操作され難い。
さらに、キー入力部およびつまみ入力部の間に表示部が備えられているから、表示部の表示内容が見やすい。加えて、表示部によってキー入力部およびつまみ入力部が離されており、つまみを操作する際に、誤ってキー入力部に触れて、調理情報の誤入力が生じる事態をほとんどなくすことができる。
【００１７】
請求項２記載の発明によれば、請求項１記載の発明と同様、天板の前縁の同一平面にタッチキーを有するキー入力部および回転されるつまみを有するつまみ入力部が配置されており、キー入力部およびつまみ入力部は上から見ることができて操作がし易い。加えて、キー入力部から調理情報を入力し、つまみ入力部から開始信号を入力する構成であるため、入力する内容に応じて入力部の種類が異っており、誤入力が少ない。また、たとえキー入力部から誤入力があっても、調理開始には至らない安全な構造となっている。
【００１８】
請求項３記載の発明によれば、天板の前縁の同一平面にタッチキーを有するキー入力部および回転つまみを有するつまみ入力部が配置されているので、いずれの入力部も上方から見ながら操作することができ、操作性の良い加熱調理器とすることができる。しかも、キー入力部およびつまみ入力部の間には表示部が配置されているから、表示内容を見ながら、キー入力部およびつまみ入力部をそれぞれ操作することができ、誤った入力操作を防止することができる。
【００１９】
また、キー入力部は、触れるだけで入力操作が行えるので、つまみ入力部を操作中に誤ってキー入力部に触れる可能性があるが、つまみ入力部とキー入力部との間は表示部で分離されており、つまみ入力部の操作時に誤ってキー入力部に触れ難い。
請求項４記載の発明によれば、つまみ入力部は、前方から見て、天板の調理容器載置位置の中心から横にずれた位置に設けられているので、天板に調理容器、たとえばフライパンが載置された場合において、フライパンの柄が前方へ延び出していても、延び出したフライパンの柄とつまみとが当ることはない。よって、フライパンの柄に妨げられることなく、つまみ入力部の操作を行える。
【００２０】
請求項５記載の発明によれば、キー入力部は、メニューを含む調理情報を入力するものであって、開始信号を与えるものではないので、誤操作の生じやすいキー入力部を有していても、誤って調理が開始されることはない。
また、キー入力部から調理情報が入力されても、ユーザがつまみ入力部の操作をしなければ、入力された調理情報はキャンセルされるので、誤って入力された調理情報に基づく調理が行われることがない。
【００２１】
請求項６記載の発明によれば、つまみ入力部により開始信号を入力する場合は、加熱量（火力）の入力に比べてより大きく回転させる必要があるから、開始信号は確実な操作を行わなければ入力されない。
請求項７記載の発明によれば、つまみ入力部の操作中に誤ってキー入力部が操作されても、その入力が受け付けられないから、誤入力を防止できる。
【００２２】
なお、この発明は、ヒータで加熱する加熱調理器、ハロゲンランプで加熱する加熱調理器、電磁誘導により加熱する加熱調理器に対して適用することができるが、特に、ＩＨ調理器に適用するのが好ましい。さらに、ＩＨ調理器の中でも、ビルトイン型ＩＨ調理器は、天板の高さがキッチンの高さと等しくされるので、天板がそのような高さに配置されるビルトイン型ＩＨ調理器にこの発明を適用するのが好ましい。
【発明を実施するための最良の形態】
【００２３】
以下では、この発明の一実施形態に係る加熱調理器１を、添付図面を参照して詳細に説明する。
図１は、加熱調理器１を正面右上から見た斜視図である。図１の説明では、方向について言及する場合には、図示した方向矢印を参照する（以下同様）。ここで、前側と正面側とは同じであり、後側と背面側とは同じであり、左右方向と幅方向とは同じである。
【００２４】
この実施形態に係る加熱調理器１は、キッチン（図示せず）にビルトインされる、いわゆるビルトイン型の誘導加熱調理器（ＩＨ調理器）である。図１に示すように、加熱調理器１は、その外殻をなすケーシング２を備えている。
ケーシング２は、平面視においてやや幅広の矩形状であり、かつ、上下方向にやや薄いボックス形状である。ケーシング２は、その主たる部分をなすフレーム３と、フレーム３の上面に設けられた天板４とを有している。
【００２５】
フレーム３は、ケーシング２とほぼ同じ大きさで中空のボックス形状であり、その前側上端部は、幅方向全域に亘って、左側面視で略Ｌ字形状に窪んでおり、組み付け部５とされる。組み付け部５は、キッチンに設けられた位置決めバー（図示せず）に嵌まり、これにより、加熱調理器１がキッチンに組み付けられる。
天板４は、ガラス製であって、ケーシング２の上面をなし、平面視で矩形の薄板状に形成されており、フレーム３の上面を覆っている。
【００２６】
天板４の後縁部の左右には、フレーム３の内部に連通する切欠きがそれぞれ設けられており、左側の切欠きは、左通風口２０とされ、右側の切欠きは、右通風口２１とされる。左通風口２０および右通風口２１のそれぞれは、左カバーおよび右カバーとしてのカバー２２によって上から覆われている。カバー２２は、格子状に形成されているので、左通風口２０および右通風口２１は、カバー２２によって覆われた状態であっても、外部に連通している（通気性を有している）。つまり、カバー２２は、左通風口２０および右通風口２１のそれぞれを通風可能にカバーしている。
【００２７】
フレーム３では、天板４の下側かつ組み付け部５の後側に上側空間６が形成されている。上側空間６、すなわち天板４の下側には、前方左右と後方中央との合計３箇所の位置に、誘導加熱コイルがそれぞれ配置されており、各誘導加熱コイルは、それぞれの位置に応じて、左加熱コイル７、右加熱コイル８、中央後加熱コイル９（図１参照）と区別される。左加熱コイル７および右加熱コイル８は、左右に並べて配置されている。中央後加熱コイル９は、左加熱コイル７および右加熱コイル８の間で、かつ、左加熱コイル７および右加熱コイル８の後側に配置されている。また、左加熱コイル７および右加熱コイル８の定格出力は、ともに相対的に大きく、たとえば３ｋＷである。これに対し、中央後加熱コイル９の定格出力は、相対的に小さく、たとえば１．６ｋＷである。
【００２８】
なお、図１に示すように、天板４の上面において、左加熱コイル７、右加熱コイル８および中央後加熱コイル９のそれぞれに一致する部分には、容器（金属鍋など）の載置位置を示すための環状の囲み線が、印刷などによって表示されている。各囲み線は、それぞれの位置に応じて、左囲み線１０、右囲み線１１、中央後囲み線１２と区別される。左囲み線１０は、左加熱コイル７に対応し、天板４の左側に位置している。右囲み線１１は、右加熱コイル８に対応し、天板４の右側に位置している。中央後囲み線１２は、中央後加熱コイル９に対応し、天板４の後側中央に位置している。
【００２９】
また、フレーム３内の上側空間６より下側の左領域には、前方へ引き出し可能なロースター１７が配置されている。ロースター１７内には、ヒータが設けられており、ロースター１７内に収容された被加熱物は、ヒータによって加熱される。
なお、上側空間６の下側の右領域には、左加熱コイル７、右加熱コイル８および中央後加熱コイル９を制御する制御回路基板およびその制御回路基板の後方に位置する送風装置１９が配置されている。
【００３０】
天板４の前縁には、左右方向に延びるように、天板４に比べて一段上側へ突き出た操作部２４が取り付けられている。操作部２４は、組み付け部５の上方に位置している。操作部２４の上面には操作パネル２７が設けられ、このパネルの左３分の１の領域に、キー入力部２５Ｌ、表示部２６Ｌ、操作ダイヤル（つまみ入力部）２３Ｌが、左から右に並ぶように配置されている。また、操作パネル２７の左右方向中央の３分の１の領域にはキー入力部２５Ｃ、表示部２６Ｃ、操作ダイヤル（つまみ入力部）２３Ｃが、左から右に並ぶように配置されている。さらに、操作パネル２７の右３分の１の領域には、キー入力部２５Ｒ、表示部２６Ｒおよび操作ダイヤル（つまみ入力部）２３Ｒが、左から右に並ぶように配置されている。キー入力部２５Ｌ、表示部２６Ｌおよび操作ダイヤル２３Ｌは、左加熱コイル７によって加熱する調理容器を載置する位置を表わす天板４に表記された左囲み線１０に対応づけて設けられており、左加熱コイル７による加熱調理に必要な信号の入力表示部である。キー入力部２５Ｃ、表示部２６Ｃおよび操作ダイヤル２３Ｃは、中央後加熱コイル９による加熱調理に必要な信号の入力表示部であり、中央後囲み線１０に対応づけた位置、すなわち中央後囲み線１２の前側に配置されている。キー入力部２５Ｒ、表示部２６Ｒおよび操作ダイヤル２３Ｒは、右加熱コイル８による加熱調理に必要な信号の入力表示部であり、右囲み線１１に対応づけた前方右位置に配置されている。
【００３１】
図２は、操作部２４の平面図である。図２を参照して、操作部２４の上面である操作パネル２７に備えられた入力部および表示部の構成についてより詳細に説明する。
キー入力部２５Ｌは、操作パネル２７の下面に配置された静電容量変化を検出するための電極を有し、操作パネル２７の上面にユーザが指を触れると電極の静電容量が変化をするので、その変化を入力信号として利用する静電容量式のタッチキーによって構成されている。キー入力部２５Ｌには、「ＯＮ／ＯＦＦ」「ＴＩＭＥＲ」「ＭＥＮＵ」という３種類のタッチキーが横方向に配列されている。これらタッチキーの表面にユーザの指が触れると、静電容量の変化が検出されて、信号が入力される。すなわち、左加熱コイル７（図１参照）のオンおよびオフの切り換え、タイマー設定時間の入力およびメニュー選択信号の入力ができる。
【００３２】
キー入力部２５Ｌの右隣に隣接された表示部２６Ｌには、左加熱コイル７の火力を表わす横方向に複数の発光部が配列されたバー状の火力表示（加熱情報の表示）、「揚げ物」「炒め物」「保温」「少量油」というのメニュー表示（調理情報の表示）、「３ｋＷ」という最大出力表示（加熱情報の表示）、「８：８８」というタイマー時間表示が備えられている。
【００３３】
表示部２６Ｌの右側には操作ダイヤル（つまみ）２３Ｌが設けられている。操作ダイヤル２３Ｌは、操作パネル２７の表面から上方へ突出する平面視円形の円柱状のつまみである。操作ダイヤル２３Ｌが回転操作されることにより、操作パネル２７の下側に設けられ、操作ダイヤル２３Ｌに連結されたボリュームエンコーダが回転して加熱情報（どの程度の火力で調理を行うか）および調理の開始信号を出力する。出力される加熱情報および開始信号は制御部へ与えられる。
【００３４】
操作パネル２７の右３分の１の領域に設けられたキー入力部２５Ｒ、表示部２６Ｒおよび操作ダイヤル２３Ｒは、上述した左３分の１の領域に設けられたキー入力部２５Ｌ、表示部２６Ｌおよび操作ダイヤル２３Ｌの構成と同じ構成である。
操作パネル２７の中央３分の１の領域に設けられたキー入力部２５Ｃ、表示部２６Ｃおよび操作ダイヤル２３Ｃの構成は、キー入力部２５Ｃは、キー入力部２５Ｌ、２５Ｒと同じであるが、表示部２６Ｃが多少異なっている。これは、表示部２６Ｃが表示する中央後加熱コイル６（図１参照）の出力が１．６ｋＷと定格が小さいので、それに合わせて表示内容を変えているからである。なお、操作ダイヤル２３Ｃは、左右の操作ダイヤル２３Ｌ、２３Ｒと比べてやや小振りになっているが、機能は同じである。
【００３５】
図３は、加熱調理器１の平面図で、左囲み線１０の載置領域にフライパン３０が載置された状態の平面図である。図４は、図３の右側面図である。
図３および図４を参照して、操作ダイヤル２３Ｌの配置位置は、前方から見て、天板４の調理容器載置位置である左囲み線１０の中心から右側へ距離Ａずれた位置に設けられている。
【００３６】
同様に、中央後囲み線１２に対応した操作ダイヤル２３Ｃは、前方から見て、天板４の調理容器載置位置である中央後囲み線１２の中心から右側へ距離Ａずれた位置に設けられている。さらに、右囲み線１１に対応する操作ダイヤル２３Ｒは、前方から見て、天板４の調理容器載置位置である右囲み線１１の中心から右側へ距離Ａずれた位置に設けられている。
【００３７】
この結果、フライパン３０をたとえば左囲み線１０上に載置したとき、その柄３１が加熱調理器１の前方へ延び出していても、操作ダイヤル２３Ｌが左囲み線１０の中央から右側へ距離Ａずれた位置にあるため、柄３１と干渉することがない。
すなわち、図４に示すように、水平方向の高さだけを見ると、操作ダイヤル２３Ｌ、２３Ｃ、２３Ｒの高さは、天板４上に載置されたフライパン３０の柄３１と干渉し得る高さになっている。しかしながら、図３の平面視で表わされるように、各操作ダイヤル２３Ｌ、２３Ｃ、２３Ｒは、調理容器載置位置の中心から横にずれた位置に配置されているから、調理容器のたとえば柄等と干渉することなく、調理容器が載置された状態で、操作がしづらい等の問題はない。
【００３８】
図５は、加熱調理器１の電気的な制御回路の構成を示すブロック図である。制御回路には、マイクロコンピュータ等で構成された制御部４０が備えられていて、キー入力部２５Ｌ、つまみ入力部（操作ダイヤル）２３Ｌ、キー入力部２５Ｃ、つまみ入力部（操作ダイヤル）２３Ｃ、キー入力部２５Ｒおよびつまみ入力部（操作ダイヤル）２３Ｒの入力信号は、制御部４０へ与えられる。制御部４０は、これら与えられる入力信号に基づいて制御動作を実行し、表示部２６Ｌ、２６Ｃ、２６Ｒに調理情報および加熱情報を表示させるとともに、左加熱コイル７、中央後加熱コイル９および右加熱コイル８の通電を制御する。なお、制御部４０には、制御を行う上で必要なつまみ入力経過時間タイマーおよびキー入力経過時間タイマーが含まれている。
【００３９】
図６は、制御部４０により行われる制御動作の内容を表わすフローチャートである。
図６の流れに従って、加熱調理器１の制御動作について説明をする。なお制御動作の説明では、一例として、左加熱コイル７を用いた加熱調理が行われる場合を例にとって説明する。なお、右加熱コイル８を用いた加熱調理が行われる場合、および中央後加熱コイル９を用いた加熱調理が行われる場合についても、同様の制御がなされる。
【００４０】
制御部４０の制御動作が始まると、まず、キー入力部２５Ｌの入力の有無がチェックされる（ステップＳ１）。ユーザがキー入力部２５Ｌのいずれかの入力表示の上に指を触れたときには、ステップＳ２においてキー入力ありと判別される。そしてキーに触れたタイミングが操作ダイヤル２３Ｌを操作してから１秒以上経過後か否かの判別がされる（ステップＳ３、Ｓ４）。すなわち、ステップＳ３で、つまみ入力経過時間タイマーがカウントアップされ、ステップＳ４でつまみ入力経過時間タイマーが１秒以上を計時していれば、キー入力が有効とされる。そしいて、触れられたキーがメニューキーか否かの判別がされる（ステップＳ５）。メニューキーの場合には、メニューキーが押された回数に応じて、あるいはメニューキーが押されている時間に応じて、「一般加熱コース」→「揚げ物コース」→「炒め物コース」→「炊飯コース」→「一般加熱コース」と、予め定められているメニューが順次選択される（ステップＳ６）。選択されたメニューは、隣接配置された表示部２６Ｌにおいて点灯表示され、どのメニューが選択されたかがユーザにわかるようにされている。そしてキー入力経過時間タイマーが初期化される（ステップＳ７）。
【００４１】
メニューキーにより選択された加熱コースが、一般加熱コースの場合（ステップＳ８でＹＥＳ）、まず、加熱中か否かの判別がされる（ステップＳ９）。制御動作が始まった当初は、加熱中ではないから、処理はステップＳ１０へと進み、キー入力経過時間タイマーがカウントアップされる（ステップＳ１０）。そしてキー入力によって一般加熱コースが選択されて１０秒が経過したか否かが判別され（ステップＳ１１）、１０秒経過したときには（ステップＳ１１でＹＥＳ）、選択された加熱コースの設定がキャンセルされる（ステップＳ１２）。そして再びキー入力部２５Ｌの操作を待つ。
【００４２】
ステップＳ１１で、キー入力後たとえば１０秒以内の間には、操作ダイヤル２３Ｌが操作されたか否かがチェックされ（ステップＳ１３）、操作がされた場合には（ステップＳ１４でＹＥＳ）、つまみ経過時間タイマーが初期化される（ステップＳ１５）。そして操作ダイヤル２３Ｌの操作が５クリック以上か否かの判別がされる（ステップＳ１６）。操作ダイヤル２３Ｌには、前述したように、ボリュームやエンコーダが連結されており、操作ダイヤル２３Ｌを回転させる回転量に応じて異なる情報を入力できる。それに加えて、予め定める単位回転量よりも大きな回転量、すなわち５クリック以上の回転操作がされると、調理開始信号が入力できるようにされている。この実施形態では、操作ダイヤル２３Ｌを予め定める１単位回転量回すと１クリック、２単位回転で２クリック、３単位回転で３クリック、…と、回転量に応じて所定のクリック数の入力が行える。
【００４３】
そこで、ステップＳ１６では、制御部４０によりつまみ入力部（操作ダイヤル）２３から５クリック以上の入力があったか否かの判別がされて（ステップＳ１６）、５クリック以上操作された場合には、調理の開始信号が与えられたと判別して（ステップＳ１６でＹＥＳ）、火力１０００Ｗで加熱を開始させる（ステップＳ１７）。
このように、操作ダイヤル２３Ｌが、予め定める単位回転量よりも大きな回転量（たとえば５クリック以上）回転操作されたときに、調理の開始信号が入力された旨を制御部４０が判断し、加熱が開始される。
【００４４】
そして操作ダイヤル２３Ｌが操作から１秒以上経過しない場合には、前述したように、ステップＳ１〜Ｓ４において、キー入力が受け付けられないようにされている。
このように、操作ダイヤル２３Ｌの操作中、および／または操作ダイヤル２３Ｌの操作後一定期間（たとえば１秒間）の間は、キー入力部２３Ｌの操作を受け付けないようにすることにより、操作ダイヤル２３Ｌの操作の際に誤ってキー入力部２５に触れて、不所望の調理情報が入力され、その調理が開始されるのを防止することができる。
【００４５】
ステップＳ９において、加熱中であると判別された場合には、操作ダイヤル２３Ｌの操作がチェックされ（ステップＳ１８）、操作ありと判別されたときには（ステップＳ１９でＹＥＳ）、つまみ入力経過時間タイマーが初期化される（ステップＳ２０）。そして操作ダイヤル２３Ｌが１クリック以上回転されたか否かの判別がされ（ステップＳ２１）、１クリック以上回転されたときには（ステップＳ２１でＹＥＳ）、その回転が右回転か左回転かの判別がされる（ステップＳ２２）。そして操作ダイヤル２３Ｃが右回転されたときには（ステップＳ２２でＹＥＳ）、火力を１００Ｗ上げ（ステップＳ２３）、左回転のときには（ステップＳ２２でＮＯ）、火力を１００Ｗ下げる（ステップＳ２４）という制御がされる。すなわち、一般加熱コースの加熱中には、操作ダイヤル２３Ｌが予め定める単位回転量右回転または左回転されることによって、その回転量（クリック数）に応じて、火力が上げ下げされる。よって、一般加熱コースで加熱中には、火力を操作ダイヤル２３Ｌによって所望の火力に簡単に調整することができる。
【００４６】
以上の実施例の説明では、メニューキーによって一般加熱コースが選択された場合を例にとって説明したが、他の加熱コースが選ばれた場合にも同様の制御が行われる。
この発明は、以上説明した実施形態に限定されるものではなく、請求項記載の範囲内において種々の変更が可能である。
【図面の簡単な説明】
【００４７】
【図１】この発明の一実施形態に係る加熱調理器１を正面右上から見た斜視図である。
【図２】加熱調理器１の操作部２４の平面図である。
【図３】加熱調理器１の平面図で、フライパン３０が載置された状態の図である。
【図４】図３の右側面図である。
【図５】加熱調理器１の電気的な制御回路の構成を示すブロック図である。
【図６】制御部４０により行われる制御動作の内容を表わすフローチャートである。
【符号の説明】
【００４８】
１    加熱調理器
７、８、９    加熱コイル
１０、１１、１２    囲み線（調理容器載置位置の表示）
２３    つまみ入力部（操作ダイヤル）
２４    操作部
２５    キー入力部
２６    表示部
２７    操作パネル
４０    制御部
【図１】
2009163899.tif 000003
【図２】
2009163899.tif 000004
【図３】
2009163899.tif 000005
【図４】
2009163899.tif 000006
【図５】
2009163899.tif 000007
【図６】
2009163899.tif 000008